(57)【要約】      （修正有）【課題】直交ギヤ機構によりヘッドシェルの回動角速度をトーンアームの回動角速度の二分の一にするトラッキングエラーを生じないトーンアームを提供する。【解決手段】トーンアーム２の回動支点Ｏを中心とする半径ＡＯの円Ｙ上に、スピンドル軸芯Ａ，ヘッドシェル７の軸芯Ｂ，Ｏに対するＡの点対象位置Ｃを配置すると、∠ＡＣＢは∠ＡＯＢの二分の一であることから、ヘッドシェルの回動角速度をトーンアームの回動角速度の二分の一にすることで一度カンチレバーをレコード針の接するレコード溝の接線方向に設定すれば以後トラッキングエラー角度は常にゼロになる。【選択図】図１
0003213405.tif 000002
【実用新案登録請求の範囲】
【請求項１】
アナログレコードの再生に使用する一支点回動のトーンアームにおいて、（１）トーンアーム回動支点の同軸上にトーンアームの台座に対して回転しないようにトーンアーム軸芯ギヤを設置固定し、（２）水平方向に自由回動する機構でトーンアーム先端ギヤをトーンアームの先端部に連結し、（３）トーンアーム軸芯ギヤの直交ギヤとトーンアーム先端ギヤの直交ギヤをシャフトでつなぎ、（４）カートリッジを担持したヘッドシェルをカンチレバーの先端すなわちレコード針の先端がトーンアーム先端ギヤの回動軸芯の鉛直線上にくる位置でトーンアーム先端ギヤに連動するように接続し、（５）トーンアーム軸芯ギヤの中心すなわちトーンアームの回動軸芯からトーンアーム先端ギヤの軸芯までの距離がトーンアームの回動支点からスピンドル軸芯までの距離に等しい位置にトーンアームを配置する、（６）ここでトーンアーム軸芯ギヤとトーンアーム先端ギヤの回転比を２対１にすることにより、（７）ヘッドシェルの回動角速度がトーンアームの回動角速度の二分の一になり一度カンチレバーの方向をレコード針の接するレコード溝の接線上に設定すれば以後カンチレバーはレコード針の接するレコード溝の接線上にあるためトラッキングエラー角度は常に０度である、以上の構造と機構によりトラッキングエラーを生じないトーンアーム。
【考案の詳細な説明】
【技術分野】
【０００１】  本考案はアナログレコードの再生において、トーンアームの回動角速度に対してヘッドシェルの回動角速度を二分の一にすることでカンチレバーを常にレコード針が接するレコード溝の接線上におくことができることにより、トラッキングエラーを生じないトーンアームに関するものである。
【背景技術】
【０００２】  ユニバーサルタイプと呼ばれる一支点回動のトーンアームはレコード盤の外側から内側に回動するとき、カンチレバーの向きは針先が接するレコード溝の接線に対してトラッキングエラーの原因となる角度誤差を生じる。この対策として、これまでにも複数の機構上の工夫がされているが、理論的に不完全もしくは機構や構造上の問題により実用に供せないものが多い。
【先行技術文献】
【特許文献】
【０００３】
【特許文献１】特開平９−５４９０１
【実用新案文献】
【０００４】
【実用新案文献１】
昭６１−６８５２０
【実用新案文献２】
昭６１−９５０４２
【実用新案文献３】
昭６２−２９５４
【実用新案文献４】
昭６２−１７６６１７
【考案の概要】
【考案が解決しようとする課題】
【０００５】  トラッキングエラーの生じないトーンアームを実現するためには、理論的にトラッキングエラーの生じない機構であることが必要である。
【課題を解決するための手段】
【０００６】  本考案は、ユークリッド幾何学における、円弧に対する円周角は中心角の二分の一であることの定理に基づいており、ヘッドシェルの回動角速度を直交ギヤ機構によりトーンアームの回動角速度の二分の一にすることにより実現するものである。
【考案の効果】
【０００７】  上述により、直交ギヤ機構を用いてヘッドシェルの回動角速度をトーンアームの回動角速度の二分の一にすることにより一度カンチレバーをレコード溝の接線方向にセットすれば以後は、トラッキングエラー角度は常に０度となりトラッキングエラーを生じない。
【図面の簡単な説明】
【０００８】
【図１】本考案の一実施例の概要を示す平面図である。
【図２】本考案の一実施例の概要を示すトーンアームの側面図である。
【考案を実施するための形態】
【０００９】  トーンアーム軸芯ギヤはトーンアームの回動支点同軸位置にトーンアーム台座に固定して取り付けられる。トーンアーム先端ギヤは水平方向に自由回転する機構でトーンアーム先端部に取り付けられる。またトーンアーム軸芯ギヤとトーンアーム先端ギヤはそれぞれの直交ギヤと直交ギヤを繋ぐシャフトを介して連動する。従って、トーンアームが回動するに伴いトーンアーム先端ギヤはトーンアーム軸芯ギヤとそれぞれの直交ギヤの歯数に応じて回転する。ここで、トーンアーム軸芯ギヤとトーンアーム先端ギヤの回転比を２：１にすることで、トーンアーム先端ギヤに連動するヘッドシェルの回転角速度はトーンアームの回動角速度の二分の一となる。また、トーンアーム回動支点からレコード中心すなわちスピンドル軸芯までの距離と、トーンアーム軸芯ギヤの中心すなわちトーンアーム回動支点からトーンアーム先端ギヤ中心までの距離を等しくするとともに、トーンアーム先端ギヤにヘッドシェルを接続固定し、ヘッドシェルの回動軸芯上にカンチレバーの先端すなわちレコード針の先端がくるようにカートリッジを取り付けることで、一度カンチレバーの方向をレコード針が接するレコード溝の方向に設定すればカンチレバーは常にレコード針が接するレコード溝の接線方向上にあるためトラッキングエラー角度は０度となり、トラッキングエラーは生じない。
【実施例】
【００１０】  以下、添付図面に従って一実施例を説明する。ベベルギア５ａはトーンアーム２の回動支点位置Ｏでトーンアーム台座１２に固定され、ベベルギア５ｂ、シャフト４、ベベルギア６ｂを介してベベルギア６ａと連動する。また、ヘッドシェル７はベベルギア６ａに接続固定される。また、カンチレバー９の先端すなわちレコード針１０の先端はベベルギア６ａ中心すなわちヘッドシェル回動軸芯Ｂの鉛直線上にある。また、トーンアーム回動支点Ｏからスピンドル軸芯Ａまでの距離とトーンアーム回動支点Ｏから大径プーリー中心Ｂまでの距離を等しく設定する。【００１１】  点Ｃを線分ＡＯの延長線上にあり、線分ＡＯ＝線分ＣＯとする。レコードの中心すなわちスピンドル軸芯Ａ、及びベベルギア６ａの中心すなわちレコード針１０の先端Ｂ、及び点ＣがＯを中心とし、線分ＡＯを半径とする円Ｙ上にあることから、角∠ＡＣＢは角∠ＡＯＢの二分の一である。【００１２】  従って、ベベルギア５ａとベベルギア６ａの回転比を２：１にすることでヘッドシェル７の中心線すなわちカートリッジ８の中心線すなわちカンチレバー９の方向は線分ＢＣ上にあるとともに角∠ＡＢＣは直径上の円周角であり直角であることからカンチレバー９はレコード針１０が接するレコード溝の接線方向ＢＣ上にある。【００１３】  上述によりトラッキングエラー角度は０度となり、トラッキングエラーを生じない。
【符号の説明】
【００１６】  １    レコードまたはターンテーブル  ２    トーンアーム  ３    レコード針圧調整用のバランスウェイト  ４    ギヤ５ｂ、６ｂを繋ぐシャフト  ５ａ  トーンアームの回動軸芯に同芯のギヤ  ５ｂ  ギヤ５ａの直交ギヤ  ６ａ  ヘッドシェルの回動軸芯に同芯のギヤ  ６ｂ  ギヤ６ａの直交ギヤ  ７    ヘッドシェル  ８    カートリッジ  ９    カンチレバー  １０  レコード針  １１  軸受け  １２  トーンアーム台座  Ｏ    トーンアームの回動軸芯であり、ギヤ５ａの中心  Ａ    レコードの中心であり、ターンテーブルの中心であり、スピンドルの軸芯  Ｂ    ギヤ６ａの回転軸芯であり、ヘッドシェルの回動軸芯であり、カンチレバーの先端すなわちレコード針の先端の鉛直線  Ｃ    線分ＡＯの延長線上にあり、線分ＡＯ＝線分ＣＯ  Ｙ    Ｏを中心とし、線分ＡＯを半径とする仮想円。Ａ、Ｂ、Ｃは円Ｙ上に位置する。
【図１】
0003213405.tif 000003
【図２】
0003213405.tif 000004
【手続補正書】
【提出日】平成29年8月29日(2017.8.29)
【手続補正１】
【補正対象書類名】図面
【補正対象項目名】全図
【補正方法】変更
【補正の内容】
【図１】
0003213405.tif 000005
【図２】
0003213405.tif 000006